(57)【特許請求の範囲】
【請求項１】
円形ランプ用のランプホルダー取付部に取り付けられる照明装置であって、
光を出射する発光素子を有する光源と、
前記光源に電力を供給する電源装置と、
一面側に前記光源が載置される載置部を有し、他面側に前記電源装置が収容される収容部を有する取付板と、
前記電源装置を挟み込むように前記取付板が固定され、前記ランプホルダー取付部に締結する締結具が挿入される挿入穴を有するベースと
を備え、
前記取付板は、
前記載置部から前記ベース側へ向かって延び、前記ベースとの間に前記収容部を形成する互いに対向する脚部を有するとともに、側面側において互いに対向する開口部を有する、照明装置。
【請求項２】
前記ベースは、中心から放射状に延びる３つの前記挿入穴を有する請求項１に記載の照明装置。
【請求項３】
前記取付板は、前記脚部の先端を外方に向かって折り曲げられ、前記ベースに固定される固定片を備えたものである請求項１または２に記載の照明装置。
【請求項４】
前記脚部と前記電源装置との間には隙間が形成されている請求項１〜３のいずれか一項に記載の照明装置。
【請求項５】
前記電源装置は、
前記光源に電力を供給する回路基板と、
前記回路基板を収容し、底部に貫通孔を有する電源ケースと、
前記電源ケースの外側から貫通孔に挿入され、前記電源ケース内において前記回路基板を留めるクリップと
を有し、
前記ベースは、前記クリップが位置決めされる部位に貫通孔を有する請求項１〜４のいずれか１項に記載の照明装置。
【請求項６】
円形ランプ用のランプホルダー取付部に取り付けられる照明装置であって、
光を出射する発光素子を有する光源と、
前記光源に電力を供給する電源装置と、
一面側に前記光源が載置される載置部を有し、他面側に前記電源装置が収容される収容部を有する取付板と、
前記電源装置を挟み込むように前記取付板が固定され、前記ランプホルダー取付部に締結する締結具が挿入される挿入穴を有するベースと
を備え、
前記電源装置は、
前記光源に電力を供給する回路基板と、
前記回路基板を収容し、底部に貫通孔を有する電源ケースと、
前記電源ケースの外側から貫通孔に挿入され、前記電源ケース内において前記回路基板を留めるクリップと
を有し、
前記ベースは、
前記クリップが位置決めされる部位に貫通孔を有する、照明装置。
【請求項７】
前記取付板及び前記ベースの外形が、円形ランプの最大外形よりも小さい請求項１〜６のいずれか１項に記載の照明装置。
【発明の詳細な説明】
【技術分野】
【０００１】
本発明は、円形ランプを保持するランプホルダーの取付部を利用して装着される照明装置に関するものである。
【背景技術】
【０００２】
たとえばビル又は住宅などの居室内用もしくはエレベータのかご内の照明装置として、円形蛍光ランプを用いた照明装置が用いられる。円形蛍光ランプの場合、ランプ本体に設けられたランプホルダーに保持される（例えば、特許文献１参照）。特許文献１には、ランプホルダーが、円形蛍光ランプの周方向に３つ設けられており、それぞれ円形蛍光ランプの下側を係止して脱落を防止することが開示されている。
【先行技術文献】
【特許文献】
【０００３】
【特許文献１】特開昭６４−２７９０９号公報
【発明の概要】
【発明が解決しようとする課題】
【０００４】
ところで、近年、照明装置として上述した円形蛍光ランプに代えて、発光ダイオード等の発光素子を用いた照明装置が普及してきている。円形蛍光ランプを用いた照明装置から発光素子を用いた照明装置への取り替えが行われる場合、新規に照明装置を設ける必要があり、コストが掛かってしまう。例えばエレベータ用に用いられる照明装置の場合、光源を蛍光ランプから発光素子を用いた照明装置に置き換えるとき、例えばエレベータのかごごと交換し、もしくは新規の照明装置を取り付けるための取付機構を設置するための改造を行う等の大規模な改修が必要になる。
【０００５】
本発明は、上述のような課題を解決するためになされたものであり、低コストで大規模な改修を必要とすることなく円形蛍光ランプから発光素子を用いた光源へ置き換えることができる照明装置を提供することを目的とする。
【課題を解決するための手段】
【０００６】
本発明の照明装置は、円形ランプ用のランプホルダー取付部に取り付けられる照明装置であって、光を出射する発光素子を有する光源と、光源に電力を供給する電源装置と、一面側に光源が載置される載置部を有し、他面側に電源装置が収容される収容部を有する取付板と、電源装置を挟み込むように取付板が固定され、ランプホルダー取付部に締結する締結具が挿入される挿入穴を有するベースとを備え、取付板は、載置部からベース側へ向かって延び、ベースとの間に収容部を形成する互いに対向する脚部を有するとともに、側面側において互いに対向する開口部を有する、ものである。本発明の照明装置は、円形ランプ用のランプホルダー取付部に取り付けられる照明装置であって、光を出射する発光素子を有する光源と、光源に電力を供給する電源装置と、一面側に光源が載置される載置部を有し、他面側に電源装置が収容される収容部を有する取付板と、電源装置を挟み込むように取付板が固定され、ランプホルダー取付部に締結する締結具が挿入される挿入穴を有するベースとを備え、電源装置は、光源に電力を供給する回路基板と、回路基板を収容し、底部に貫通孔を有する電源ケースと、電源ケースの外側から貫通孔に挿入され、電源ケース内において回路基板を留めるクリップとを有し、ベースは、クリップが位置決めされる部位に貫通孔を有する、ものである。
【発明の効果】
【０００７】
本発明の照明装置によれば、従来の円形ランプを取り付けるためのランプホルダーが取り付けられていたランプホルダー取付部を流用して、低コストで大規模な改修を必要とすることなく円形蛍光ランプから発光素子を用いた光源へ置き換えることができる。
【図面の簡単な説明】
【０００８】
【図１】本発明の実施の形態に係る照明装置の一例を示す斜視図である。
【図２】図１の照明装置の分解斜視図である。
【図３】図１の照明装置の６面を示す正面図、背面図、右側面図、左側面図、天面図、底面図である。
【発明を実施するための形態】
【０００９】
以下、図面を参照しながら本発明の照明装置の実施の形態について説明する。図１は本発明の実施の形態に係る照明装置の一例を示す斜視図、図２は図１の照明装置の分解斜視図、図３は図１の照明装置の６面を示す正面図、背面図、右側面図、左側面図、天面図、底面図である。図１〜図３の照明装置１は、例えばエレベータのかご内、ビル又は住宅等の居室内用の照明として用いられるものである。
【００１０】
照明装置１は、光を射出する光源１０と、光源１０に電源を供給する電源装置２０と、光源１０が取り付けられる取付板３０と、取付板３０が取り付けられるベース４０と、光源１０の発光面側に配置されたカバー５０とを備える。このうち、取付板３０及びベース４０の外形は、円形ランプの最大外形よりも小さくなるように形成されている。
【００１１】
光源１０は、例えばＬＥＤ等からなる複数の発光素子１２と、発光素子１２が実装された実装基板１１とを有し、複数の発光素子１２は実装基板１１上に所望の照度特性等が得られるように所定のパターンで配列されている。
【００１２】
電源装置２０は、光源１０に電力を供給する回路基板２１と、回路基板２１を収容する電源ケース２２とを有する。なお、回路基板２１は、電源ケーブル２３が接続された状態で、絶縁部材２１ａを介して電源ケース２２に収容されている。電源ケース２２は、例えば底部２２ａの四辺から側面が折り曲げられて直方体状に形成され、電源ケース２２の底部２２ａには貫通孔２２ｘが形成されている。また、電源装置２０は、電源ケース２２内の回路基板２１を留めるクリップ２４を備えている。そして、クリップ２４が電源ケース２２の外側から貫通孔２２ｘに挿入され、電源ケース２２内において回路基板２１が固定される。また、電源ケース２２の一面には、回路基板２１を収容するための開口が設けられ、開口の縁には外方に折り曲げられたフラップ２２ｂが設けられている。
【００１３】
取付板３０は、光源１０及び電源装置２０が固定されるものであって、一面側に光源１０が載置されるものであり、他面側に電源装置２０が収容される収容部３０ａが形成されている。具体的には、取付板３０は、光源１０が載置される載置部３１と、載置部３１の両側面から折り曲げられて形成される脚部３２と、脚部３２から外方に向かって折り曲げられ、ベース４０に固定される固定片３３とを備える。
【００１４】
載置部３１は、例えば正方形状に形成されており、一面側に絶縁シート１３を介して光源１０が外方を向くように載置される。なお、載置部３１が正方形状に形成されている場合について例示しているが、これに限らず、長方形や多角形（８角形など）であってもよい。また、載置部３１の他面側には電源ケース２２が固定されている。すなわち、電源ケース２２のフラップ２２ｂがネジ等の固定部材を用いて載置部３１の他面側に固定される。
【００１５】
脚部３２は、脚部３２とベース４０との間に、電源装置２０を収容するための高さを有し、脚部３２により収容部３０ａが形成される。さらに、図２のように、脚部３２は、電源装置２０との間に隙間Ｄが形成される幅を有している。すると、工場出荷時において、電源ケーブル２３を電源ケース２２の周囲に巻きつけた状態で出荷することができる。また、使用時において、電源装置２０から引き出される電源ケーブル２３を電源ケース２２と脚部３２との間に挿通することができる。これにより、電源ケーブル２３の接続先が照明装置１の左右いずれにあったとしても、電源ケーブル２３の接続作業を行うことができる。さらに、電源ケーブル２３を電源ケース２２と脚部３２との間に挿通することにより、電源ケーブル２３が自重で垂れ下がったとしても、取付板３０により電源ケーブル２３の垂れ下がりを抑制することができる。
【００１６】
固定片３３は、例えば脚部３２の先端がＬ字形状に折り曲げられて形成されており、固定片３３には、ネジなどの締結部品が挿入される締結孔３３ａが形成されている。したがって、取付板３０は、側面側において、互いに対向する２つの脚部３２を有するとともに、互いに対向する開口部３０ｘを有することになる。すると、開口部３０ｘから自然対流が発生し、光源１０及び電源装置２０の放熱を行うことができる。
【００１７】
ベース４０は、平板状のプレートからなり、エレベータのかご又は室内の天井等に設けられたランプホルダーを外し、外した際に表れるネジ穴等のランプホルダー取付部に取り付けられるものである。ベース４０は、電源装置２０を挟み込むように取付板３０が固定されており、ランプホルダー取付部（ネジ穴）に締結するネジ等の締結具が挿入される挿入穴４１を有する。挿入穴４１は、例えば、円形蛍光ランプの２０Ｗ及び／または３０Ｗを取り付ける際に用いる３つのランプホルダー取付部に対応した位置にそれぞれ設けられている。
【００１８】
ランプホルダーは、照明器具の本体に締結具を用いて例えば周方向に略等間隔で３つ取り付けられている。このとき、挿入穴４１は、ランプホルダー取付部に対応する位置であって周方向に等間隔で形成されることになる。さらに、挿入穴４１は、中心から放射状に延びる形状を有する。ここで、照明器具の本体におけるランプホルダー取付部の位置は、円形蛍光ランプの径に応じて異なる位置になる。そこで、挿入穴４１が中心から放射状に延びる形状を有することにより、挿入穴４１の長さの範囲内において、様々な径の円形蛍光ランプを保持するランプホルダー取付部を利用して、発光素子１２を利用した照明装置１を取り付けることができる。
【００１９】
さらに、ベース４０は、クリップ２４が位置決めされる部位にそれぞれ取付孔４２を有する。なお、ベース４０に４つの取付孔４２が設けられている場合について例示しているが、クリップ２４の数に応じてそれぞれ設ければよい。
【００２０】
そして、電源装置２０の底面にクリップ２４が挿入される際、取付孔４２を介してクリップ２４が挿入される。なお、取付孔４２は、クリップ２４の頭部が入り込む大きさを有している。取付孔４２にクリップ２４が入り込むことにより、電源装置２０がベース４０上の所定の位置に位置決めすることができる。例えば電源ケース２２は、電源ケース２２の対角線上にある２つの角部が脚部３２に対向するように位置決めされる。また、クリップ２４の頭が取付孔４２に入り込むことで照明装置１の高さを低くすることができる。
【００２１】
カバー５０は、光源１０から出射した光を透過する材料からなっており、例えば矩形状に形成されている。カバー５０は、載置部３１に対向する正面カバー部５１と、正面カバー部５１の両端から突出し、脚部３２に取り付けられる１対の第１カバー側面部５２と、正面カバー部５１及び第１カバー側面部５２に接続された１対の第２カバー側面部５３とを備える。脚部３２には、カバー５０を取り付ける際にネジ等が挿入される取付孔３２ａが設けられており、１対の第１カバー側面部５２がそれぞれ脚部３２の取付孔３２ａにネジ止め等されることにより固定される。また、１対の第２カバー側面部５３は、それぞれ取付板３０の開口部３０ｘに対応する位置に開口を有しており、照明装置１内に外気が流通するようになっている。
【００２２】
次に、図１から図３を参照して、照明装置１の組み立て手順について説明する。まず、電源ケース２２に絶縁部材２１ａが挿入された状態で、電源ケース２２の貫通孔２２ｘにクリップ２４が挿入される。その後、電源ケース２２に回路基板２１が収容された状態で、回路基板２１にクリップ２４が取り付けられる。
【００２３】
次に、電源ケース２２の上から取付板３０が載せられ、取付板３０がベース４０に固定される。また、電源ケース２２は、ネジ等で取付板３０に固定される。その後、取付板３０の載置部３１に光源１０及び絶縁シート１３が載置され、ネジなどの固定部材により固定され、カバー５０が光源１０を覆うように取付板３０に取り付けられる。最後に、ベース４０の取付孔４２にクリップ２４の頭部が入り込むように、電源ケース２２がベース４０上に載置される。なお、照明装置１をランプホルダーに取り付ける場合、一度、ベース４０が取付板３０から外され、ランプホルダー取付部にベース４０が取り付けられた後、再び、取付板３０がベース４０に固定されるようにする。
【００２４】
上記実施の形態によれば、ベース４０が既設のランプホルダー取付部に締結する締結具が挿入される挿入穴４１を有することにより、従来の円形ランプを取り付けるためのランプホルダー取付部を流用して、低コストで大規模な改修を必要とすることなく円形蛍光ランプから発光素子１２を用いた光源へ置き換えることができる。
【００２５】
さらに、取付板３０が、側面側に互いに対向する開口部３０ｘを有するとき、電源ケース２２の２つの側面を脚部３２に対向するとともに、電源ケース２２と脚部３２との間に空間を形成するようにしたので、自然対流が発生し、光源１０及び電源装置２０の放熱を行うことができる。
【００２６】
また、電源装置２０からは、外部電源へ接続するための電源ケーブル２３が引き出されるが、工場出荷時において、この電源ケーブル２３を、電源ケース２２の周囲に巻きつけることができる。よって、工場出荷時に梱包箱などに収める際、電源ケーブル２３がばらけることなく収納されるので、照明装置１を梱包箱などに収める作業性が向上する。
【００２７】
また、電源装置２０から引き出される電源ケーブル２３を電源ケース２２と脚部３２との間に挿通することにより、電源ケーブル２３の接続先が照明装置１の左右いずれにあったとしても、電源ケーブル２３の接続作業を行うことができる。また、電源ケーブル２３を電源ケース２２と脚部３２との間に挿通することによって、電源ケーブル２３が自重で垂れ下がったとしても、この取付板３０により電源ケーブル２３の垂れ下がりを抑制することができる。
【００２８】
本発明の実施の形態は、上記実施の形態に限定されず、種々の変更を加えることができる。例えば、図１〜図３の挿入穴４１は、円形蛍光ランプの２０Ｗまたは３０Ｗに対応した位置及び大きさを有する場合について例示しているが、他の規格の円形蛍光ランプに対応した位置及び大きさを有するものでもよいし、複数の規格のそれぞれに対応可能に形成されていてもよい。
【符号の説明】
【００２９】
１  照明装置、１０  光源、１１  実装基板、１２  発光素子、１３  絶縁シート、２０  電源装置、２１  回路基板、２１ａ  絶縁部材、２２  電源ケース、２２ａ  底部、２２ｂ  フラップ、２２ｘ  貫通孔、２３  電源ケーブル、２４  クリップ、３０  取付板、３０ａ  収容部、３０ｘ  開口部、３１  載置部、３２  脚部、３２ａ  取付孔、３３  固定片、３３ａ  締結孔、４０  ベース、４１  挿入穴、４２  取付孔、５０  カバー、５１  正面カバー部、５２  第１カバー側面部、５３  第２カバー側面部、Ｄ  隙間。
【図１】
0006618326.tif 000002
【図２】
0006618326.tif 000003
【図３】
0006618326.tif 000004